(57)【要約】【課題】厨芥が、排水孔に引っ掛かりにくく、また、排水カゴから厨芥を外しやすくゴミ捨てが容易となる構造の排水カゴを実現する。【解決手段】排水カゴ１は、全体として椀状に形成され、排水孔形成部と排水孔非形成部とを備えるカゴ部２と、カゴ部２の周縁部に形成されるフランジ部３と、フランジ部３につながるように形成される取手部４と、を備えており、カゴ部２は、下方から取手部４が設けられた側とは反対側のフランジ部３に向けて延びる排水ガイド部１３を備え、最下面１２、排水ガイド部１３及び中間底面１４とが、排水孔非形成部８とされており、排水ガイド部１３は、カゴ部２の他の部位よりも下方に向けて凹んだ凹形状に形成されている。【選択図】図１
2014043669.tif 000002
【特許請求の範囲】
【請求項１】
全体として椀状に形成され、排水孔形成部と排水孔非形成部とを備えるカゴ部と、カゴ部の周縁部に形成されるフランジ部と、フランジ部につながるように形成される取手部と、を備えた排水カゴであって、カゴ部は、その下方から取手部が設けられた側とは反対側のフランジ部に向けて延びる排水ガイド部を備えており、カゴ部の最下面と、排水ガイド部と、最下面と排水ガイド部の中間に形成される中間底面とが、排水孔非形成部とされていることを特徴とする排水カゴ。        
【請求項２】
請求項１に記載の排水カゴであって、排水ガイド部が、カゴ部の他の部位よりも下方に向けて凹んだ凹形状に形成されていることを特徴とする排水カゴ。
【請求項３】
請求項１または２に記載の排水カゴであって、排水ガイド部の両側には、カゴ部の他の部位と同一曲面内において略直線状に延びるとともに排水孔非形成部とされている複数の補助排水ガイド部が設けられていることを特徴とする排水カゴ。
【発明の詳細な説明】
【技術分野】
【０００１】
本発明は、キッチンのシンク等の排水口に取付けられる排水カゴに関する。
【背景技術】
【０００２】
従来のキッチンのシンク等の排水口に取付けられる排水カゴは、カゴ部全体がパンチングメタルなどの多孔状素材や、網目状素材で構成されている。
【０００３】
例えば、複数の透過穴を備えゴミ捕集部として機能する受け部を有するストレーナ（排水目皿）において、受け部はパンチングメタルと呼ばれる、薄いステンレス板に複数の透過穴を穿設し、これを曲面形状椀状に加工した受け部を有する構成が知られている（特許文献１参照）。
【０００４】
また、排水が通過する網目状部及び排水が通過しない孔なし部とから成る捕集排水部を備え、排水中に含まれるゴミは、孔なし部に溜まることなく網目状部側に寄せられて溜まる構成の排水カゴが知られている（特許文献２参照）。
【先行技術文献】
【特許文献】
【０００５】
【特許文献１】特開２０１０−１２６９８３号公報
【特許文献２】特開２０１１−６３９９４号公報
【発明の概要】
【発明が解決しようとする課題】
【０００６】
従来の排水カゴの構成では、キッチンで、発生した残菜や野菜などの切り屑等の厨芥が、排水孔に引っ掛かったり、排水カゴの取手部を用いて捨てるときになかなか排水カゴから外れないという問題があった。
【０００７】
本発明は、上記従来の問題を解決することを目的とし、厨芥が、排水孔に引っ掛かったりしにくく、また、排水カゴから厨芥を外しやすくゴミ捨てが容易となる構造の排水カゴを実現することを課題とする。
【課題を解決するための手段】
【０００８】
本発明は上記課題を解決するために、全体として椀状に形成され、排水孔形成部と排水孔非形成部とを備えるカゴ部と、カゴ部の周縁部に形成されるフランジ部と、フランジ部につながるように形成される取手部と、を備えた排水カゴであって、カゴ部は、その下方から取手部が設けられた側とは反対側のフランジ部に向けて延びる排水ガイド部を備えており、カゴ部の最下面と、排水ガイド部と、最下面と排水ガイド部の中間に形成される中間底面とが、排水孔非形成部とされていることを特徴とする排水カゴを提供する。
【０００９】
排水ガイド部が、カゴ部の他の部位よりも下方に向けて凹んだ凹形状に形成されていることが好ましい。
【００１０】
排水ガイド部の両側には、カゴ部の他の部位と同一曲面内において略直線状に延びるとともに排水孔非形成部とされている複数の補助排水ガイド部が設けられていることが好ましい。  
【発明の効果】
【００１１】
本発明は、次のような効果が生じる。
（１）排水孔が形成されていない排水ガイド部上を案内し、滑らすように移動させて厨芥を排出することができるので、従来例のように、排水孔形成部上に沿って厨芥を排出する場合に比較して、厨芥がカゴ部に引っ掛かりにくく、ゴミ捨てが容易となり、また、排水孔に詰まって残るようなことが減少し清掃が容易となる。
【００１２】
（２）排水カゴは全体として椀状に形成されているので、捕集された厨芥は排水カゴの下方に移動して、排水カゴの底部の最下面上に集まりやすい。また、排水ガイド部は、排孔非形成水部の一部として形成されているので、その面に付着するような排水中の厨芥は水で浮いて、排水とともに流下し、排水カゴの底部の最下面上に集まりやすい。
【図面の簡単な説明】
【００１３】
【図１】本発明に係る排水カゴの実施例１を説明する図であり、（ａ）は斜視図であり、（ｂ）は（ａ）のＢ−Ｂ断面図である。
【図２】実施例１の作用を説明する図であり、（ａ）は厨芥を捕集する状態を示し、（ｂ）はゴミ捨ての状態を示す。
【図３】本発明に係る排水カゴの実施例２を説明する図であり、（ａ）は斜視図であり、（ｂ）は（ａ）のＢ−Ｂ断面図である。
【図４】実施例２の作用を説明する図であり、（ａ）は図３（ａ）のＡ−Ａ断面図であり厨芥を捕集する状態を示し、（ｂ）は（ａ）の状態から排水カゴを取り出してゴミ捨てをしている状態を示す。
【発明を実施するための形態】
【００１４】
本発明に係る排水カゴを実施するための形態を実施例に基づき図面を参照して、以下説明する。
【実施例】
【００１５】
（実施例１）
図１〜２は、本発明に係る排水カゴ１の実施例１を説明する図である。図１（ａ）、（ｂ）に示すように、排水カゴ１は、全体として椀状に形成されるカゴ部２と、カゴ部２の周縁部に形成されるフランジ部３と、フランジ部３につながるように形成される取手部４と、を備えている。
【００１６】
カゴ部２は、全体として椀状に形成され、排水孔形成部７と排水孔非形成部８とを備えている。排水孔形成部７には、その全面にわたって複数の排水孔１１が形成されており、例えば、パンチングメタルなどの多孔状素材等を利用すればよい。なお、排水孔形成部７は、水を通過させ厨芥を捕捉する機能を備えていればよいのであり、排水孔１１を設ける構成ではなく、網目状素材等を利用し、網状に形成してもよい。    
【００１７】
排水孔非形成部８は、排水孔１１が形成されていない部分であって、カゴ部２の底の最下面１２（カゴ部２の最下点の周辺部分）と、排水ガイド部１３と、最下面１２と排水ガイド部１３の中間に形成される底面１４（以下、本明細書では「中間底面１４」という）と、を有する。
【００１８】
排水ガイド部１３は、中間底面１４から取手部４が設けられた側とは反対側（取手部４に対向する側）のフランジ部３に向けて上方に傾斜して延びるように形成されている。そして、排水ガイド部１３は、カゴ部２における排水孔形成部７の表面から下方に向けて凹み、その長手方向に直交する断面が凹形状に形成され、全体として溝のような構成である。
【００１９】
なお、排水ガイド部１３は、図示はしないが、中間底面１４からではなく、さらに下方の最下面１２から取手部４が設けられた側とは反対側のフランジ部３に向けて延び、排水孔形成部７の表面から下方に向けて凹み、断面が凹形状の溝のように形成されていてもよい。
【００２０】
排水ガイド部１３は、その上端において、フランジ部３に少し食い込むように形成されており、その下端に近づく部分において、序々に深さが浅くなり、中間底面１４に連続的に接続するように形成されている。
【００２１】
なお、図示はしないが、排水ガイド部１３は、その上端に近づく部分において、深さが序々に浅くなることで、フランジ部３に食い込むことなく、フランジ部３の内周縁に連続的に接続するように形成されている構成としてもよい。
【００２２】
取手部４は、フランジ部３及びカゴ部２の内面からカゴ部２の中心に向けて摘み片のように張り出し、その上面は、フランジ部３の上面と面一につながるように形成されている。このような取手部４を使用者が指で掴めば、排水カゴ１を持ち上げたり、傾けたりすることができる。
【００２３】
なお、実施例１では、取手部４は摘み片のように形成されているが、後記する実施例２の取手部３２のように、フランジ部３の２カ所を橋絡するバー状の構成としてもよい（図３参照）。                             
【００２４】
（作用）
以上の構成から成る実施例１の排水カゴ１の作用を説明する。図２（ａ）は、排水カゴ１を、例えばキッチンのシンクの排水口１８に装着し、厨芥１９を捕集する状態を示す。矢印に示すように、排水蓋２２を通して排水は排水カゴ１内に流入すると、排水は複数の排水孔１１を通って配水管２３へと排水される。
【００２５】
排水中の厨芥１９は、排水カゴ１の排水孔形成部７で捕捉される。排水孔形成部７は傾斜面になっているので、捕集された厨芥１９は排水カゴ１の下方に移動して、最下面１２に向けて集まりやすい。
【００２６】
排水孔非形成部８の一部である排水ガイド部１３は、排水孔１１が形成されておらず、溝のように形成されているので、排水ガイド部１３に沿って流れる排水によってその面に付着することなく水に浮いて、排水とともに流下し（図１（ａ）の白抜き矢印Ｆ参照）、最下面１２に向けて集まりやすい。
【００２７】
排水カゴ１内に捕集した厨芥１９を捨てる場合には、使用者は取手部４を把持して排水カゴ１を排水口１８から取り出す。そして、図２（ｂ）に示すように、取手部４が上方で排水ガイド部１３が下方に位置するようにして、排水カゴ１全体を下方に向けて傾ける。
【００２８】
すると、排水カゴ１の最下面１２上に捕集された厨芥１９は、排水孔非形成部８の一部として形成されている排水ガイド部１３上を案内されて滑るようにして下方へ移動し、排水カゴ１から排出される。
【００２９】
このように、厨芥１９を、排水孔１１が形成されていない排水ガイド部１３上を案内して排出することができるので、従来の排水カゴのように、排水孔の形成された面上に沿って厨芥を排出する場合に比較して、厨芥１９がカゴ部２の内面に引っ掛かることなく、排水ガイド部１３上を滑らすようにして移動させることができるので、ゴミ捨てが容易となり、また、厨芥１９が排水孔１１に詰まって残るようなことが減少し清掃が容易となる。
【００３０】
（実施例２）           
図３〜４は、本発明に係る排水カゴの実施例２を説明する図である。この実施例２は、実施例１と略同じ構成であるので、相違する構成を中心に、以下説明する。なお、実施例２において、実施例１と同じ構成については同じ符号を付す。
【００３１】
実施例２の排水カゴ３１は、実施例１の排水カゴ１と同様に、カゴ部２と、カゴ部２の周縁部に形成されるフランジ部３と、を備え、カゴ部２は、全体として椀状に形成され、複数の排水孔の形成された排水孔形成部７と、排水孔非形成部８と、を備えている。    
【００３２】
排水カゴ３１は、取手部３２を備えているが、この実施例２の取手部３２は、フランジ部３につながるように周方向に離れた２カ所を橋絡し、バー状に形成されている。取手部３２の長手方向に直交する断面は、矩形、楕円形、円形等、使用者が把持できればいずれの形状でもよいが、その上面は、フランジ部３の上面と面一に形成されている。
【００３３】
なお、実施例２では、取手部３２はバー状に形成されているが、実施例１の取手部４と同様に摘み片のような取手部としてもよい。
【００３４】
排水孔非形成部８は、実施例１の排水カゴ１と同様に、排水ガイド部１３、最下面１２、中間底面１４及び後記する補助排水ガイド部３３を備えている。排水ガイド部１３は、実施例１の排水カゴ１と同様に、中間底面１４から取手部３２と反対側のフランジ部３に向けて延びるように形成されている。
【００３５】
実施例２の排水カゴ３１は、実施例１の排水カゴ１と異なり、排水ガイド部１３の両側に、それぞれ排水孔非形成部８の一部として補助排水ガイド部３３が設けられている。補助排水ガイド部３３は、中間底面１４からフランジ部３まで、平面視で略直線状に延びるように排水ガイド部１３の両側に沿うように形成されている。
【００３６】
この補助排水ガイド部３３は、排水ガイド部１３とは異なり凹形状には形成されておらず、カゴ部２の椀状の部分における排水孔形成部７を構成する部位と同一曲面内に形成されている。換言すると、補助排水ガイド部３３は、カゴ部２の椀状の傾斜した排水孔形成部７の領域において、排水ガイド部１３の両側に排水孔非形成部８の一部として帯状に形成されている。
【００３７】
（作用）                                                        
以上の構成から成る実施例２の排水カゴ３１の作用を説明する。実施例２の排水カゴ３１の作用は、基本的には、実施例１の排水カゴ１の作用と略同じである。しかし、実施例２の排水カゴ３１においては、排水ガイド部１３の両側に、それぞれ排水孔非形成部８の一部として補助排水ガイド部３３が設けられているので、実施例１の排水カゴ１の作用に加えて、次のような作用が生じる。
【００３８】
即ち、図４（ａ）に示すように、排水カゴ３１内に流入した排水の一部は、排水孔から排水されることなく、排水孔非形成部８の一部として形成された補助排水ガイド部３３の上面に沿って下方へ流下する。
【００３９】
その際、補助排水ガイド部３３の上面又はその近傍に付着した厨芥１９を、水で浮かすようにして下方に流すので、厨芥１９を排水カゴ３１の最下面１２上に向けて集積し溜めやすくなる。
【００４０】
また、排水カゴ３１内に捕集した厨芥１９を捨てる際に、取手部３２を把持して、図４（ｂ）に示すように、取手部３２が上方で排水ガイド部１３が下方に位置するようにして、実施例１の場合と同様に、排水カゴ３１全体を下方に向けて傾ける。
【００４１】
すると、排水カゴ３１の最下面１２に捕集された厨芥１９は、実施例１の排水カゴ１の場合と同様に、排水ガイド部１３上を案内されて滑るようにして下方に移動する。このような作用に加えて、実施例２の排水カゴ３１においては、厨芥１９は、排水孔非形成部８の一部として形成されている補助排水ガイド部３３の上を案内されて滑るようにして下方に移動して排出される。
【００４２】
そのため、従来の排水カゴのように、排水孔の形成された面上に沿って厨芥を排出する場合に比較して、厨芥１９がカゴ部２の内面に引っ掛かることなく、排水ガイド部１３及び補助排水ガイド部３３上を滑らすようにして移動させることができるので、ゴミ捨てが容易となり、また、厨芥１９が排水孔１１に詰まって残るようなことが減少し清掃が容易となる。
【００４３】
なお、使用者は、ゴミ捨ての際等に、取手部３２のみを把持してもよいが、取手部３２とフランジ部３の両方に指を掛けて挟むようにして把持すれば、より小さい力でも持つことができる。取手部３２はカゴ部２の外周部から離して設けられているので、従来例の排水カゴのような取手部の裏（下面）が汚れやすくなることを防ぐことができる。
【００４４】
以上、本発明に係る排水カゴを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４５】
本発明に係る排水カゴは上記のような構成であるから、キッチンのシンクの排水口に装着する排水カゴにかぎらず、必要に応じて、浴室、洗面シンク等の排水口に装着する排水カゴにも適用可能である。
【符号の説明】
【００４６】
１  排水カゴ
２  カゴ部
３  フランジ部
４  取手部
７  排水孔形成部
８  排水孔非形成部 
１１  排水孔
１２  最下面
１３  排水ガイド部
１４  中間底面 
１８  排水口
１９  厨芥
２２  排水蓋
２３  配水管
３１  排水カゴ
３２  取手部
３３  補助排水ガイド部
【図１】
2014043669.tif 000003
【図２】
2014043669.tif 000004
【図３】
2014043669.tif 000005
【図４】
2014043669.tif 000006